【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
（ａ）自己分散顔料；
（ｂ）水性ビヒクル；および
（ｃ）一般構造（Ｉ）
【化１】
2011523964.tif 000001
（式中、
Ｒ１は、ジイソシアネートに由来するアルキル、置換アルキル、置換アルキル／アリールであり、
Ｒ２は、ジオールに由来するアルキル、置換／分岐アルキルであり、
Ｒ３は、アミン連鎖停止基に由来するアルキル、非イソシアネート反応性置換または分岐アルキルであり、
Ｒ４は、アミン連鎖停止基に由来する水素、アルキル、非イソシアネート反応性置換または分岐アルキルであり、
ｎは２〜３０である）
の少なくとも１種の化合物を含むα〜ωジオールおよび／またはポリエーテルジオールから誘導される尿素末端封止ポリウレタンであって、
ここで、Ｒ２がＺ１またはＺ２でありかつ少なくとも１種のＺ１および少なくとも１種のＺ２がポリウレタン組成物中に存在していなければならず、
【化２】
2011523964.tif 000002
（式中、
ｐは１以上であり、
ｐが１である場合、ｍは３以上〜約３０であり、
ｐが２以上である場合、ｍは３以上〜約１２であり、
Ｒ５、Ｒ６の各々は、水素、アルキル、置換アルキル、および、アリールからなる群から独立して選択され；ここで、Ｒ５は、Ｒ５とＲ５またはＲ６とが結合して環構造を形成していることが可能である置換メチレン基について同一であるかまたは異なっている）、
Ｚ２は、イオン基で置換されたジオールであり；Ｒ１は、ジイソシアネートに由来するアルキル、置換アルキル、置換アルキル／アリールであり、
Ｒ２は、ジオールに由来するアルキル、置換／分岐アルキルであり、
Ｒ３は、アミン連鎖停止基に由来するアルキル、非イソシアネート反応性置換または分岐アルキルであり、
Ｒ４は、アミン連鎖停止基に由来する水素、アルキル、非イソシアネート反応性置換または分岐アルキルであり、
ｎは２〜３０であり、
ここで、Ｒ２がＺ１またはＺ２である場合、少なくとも１種のＺ１および少なくとも１種のＺ２がポリウレタン組成物中に存在していなければならない尿素末端封止ポリウレタン；
を含む水性インクジェットインク組成物であって、
前記尿素末端封止ポリウレタンインク添加剤の尿素含有量が前記ポリウレタンの少なくとも２重量％である水性インクジェットインク組成物。
【請求項２】
前記尿素末端封止ポリウレタンが、ｐが１でありｍが３〜３０であるジオール構造（ＩＩ）を含む、請求項１に記載のインクジェットインク。
【請求項３】
前記尿素末端封止ポリウレタンが、ｐが２以上でありｍが３〜１２である構造（ＩＩ）のジオールを含む、請求項１に記載のインクジェットインク。
【請求項４】
前記尿素末端封止ポリウレタンが、全インク組成物の重量を基準として約０．１〜約１２重量％である、請求項１に記載のインクジェットインク。
【請求項５】
前記尿素末端封止ポリウレタンが、前記ポリウレタンの少なくとも２．５重量％、かつ、１０．５重量％以下である前記尿素末端封止ポリウレタンインク添加剤の尿素含有量を有する、請求項１に記載のインクジェットインク。
【請求項６】
インクの総重量に基づいて約０．１〜約１０重量％の顔料、２５℃で約２０ｄｙｎｅ／ｃｍ〜約７０ｄｙｎｅ／ｃｍの範囲の表面張力、および、２５℃で約３０ｃＰ未満の粘度を有する、請求項１に記載のインクジェットインク。
【請求項７】
前記自己分散顔料がアニオン性分散基を含む、請求項１に記載のインクジェットインク。
【請求項８】
前記自己分散顔料が、顔料表面１平方メートル当たり約３．５μモル（３．５μｍｏｌ／ｍ２）未満の官能化度を含む、請求項７に記載のインクジェットインク。
【請求項９】
前記自己分散顔料が、顔料表面１平方メートル当たり約３．０μモル（３．０μｍｏｌ／ｍ２）未満の官能化度を含む、請求項８に記載のインクジェットインク。
【請求項１０】
セット中のインクの少なくとも１つが請求項１に記載のインクである、インクジェットインクセット。
【手続補正２】
【補正対象書類名】明細書
【補正対象項目名】０１７９
【補正方法】変更
【補正の内容】
【０１７９】
ポリウレタンを含む本発明のインクは、アクリルポリマー添加剤を含むＳＤＰと比較した場合に、特に光沢およびイメージの明瞭性に関連して優れた印刷特性をもたらす。
なお、本発明は、特許請求の範囲を含め、以下の発明を包含する。
１．（ａ）自己分散顔料；
（ｂ）水性ビヒクル；および
（ｃ）一般構造（Ｉ）
【化３】
2011523964.tif 000003
（式中、
Ｒ１は、ジイソシアネートに由来するアルキル、置換アルキル、置換アルキル／アリールであり、
Ｒ２は、ジオールに由来するアルキル、置換／分岐アルキルであり、
Ｒ３は、アミン連鎖停止基に由来するアルキル、非イソシアネート反応性置換または分岐アルキルであり、
Ｒ４は、アミン連鎖停止基に由来する水素、アルキル、非イソシアネート反応性置換または分岐アルキルであり、
ｎは２〜３０である）
の少なくとも１種の化合物を含むα〜ωジオールおよび／またはポリエーテルジオールから誘導される尿素末端封止ポリウレタンであって、
ここで、Ｒ２がＺ１またはＺ２でありかつ少なくとも１種のＺ１および少なくとも１種のＺ２がポリウレタン組成物中に存在していなければならず、
【化４】
2011523964.tif 000004
（式中、
ｐは１以上であり、
ｐが１である場合、ｍは３以上〜約３０であり、
ｐが２以上である場合、ｍは３以上〜約１２であり、
Ｒ５、Ｒ６の各々は、水素、アルキル、置換アルキル、および、アリールからなる群から独立して選択され；ここで、Ｒ５は、Ｒ５とＲ５またはＲ６とが結合して環構造を形成していることが可能である置換メチレン基について同一であるかまたは異なっている）、
Ｚ２は、イオン基で置換されたジオールであり；Ｒ１は、ジイソシアネートに由来するアルキル、置換アルキル、置換アルキル／アリールであり、
Ｒ２は、ジオールに由来するアルキル、置換／分岐アルキルであり、
Ｒ３は、アミン連鎖停止基に由来するアルキル、非イソシアネート反応性置換または分岐アルキルであり、
Ｒ４は、アミン連鎖停止基に由来する水素、アルキル、非イソシアネート反応性置換または分岐アルキルであり、
ｎは２〜３０であり、
ここで、Ｒ２がＺ１またはＺ２である場合、少なくとも１種のＺ１および少なくとも１種のＺ２がポリウレタン組成物中に存在していなければならない尿素末端封止ポリウレタン；
を含む水性インクジェットインク組成物であって、
前記尿素末端封止ポリウレタンインク添加剤の尿素含有量が前記ポリウレタンの少なくとも２重量％である水性インクジェットインク組成物。
２．前記尿素末端封止ポリウレタンが、ｐが１でありｍが３〜３０であるジオール構造（ＩＩ）を含む、請求項１に記載のインクジェットインク。
３．前記尿素末端封止ポリウレタンが、ｐが２以上でありｍが３〜１２である構造（ＩＩ）のジオールを含む、請求項１に記載のインクジェットインク。
４．前記尿素末端封止ポリウレタンが、全インク組成物の重量を基準として約０．１〜約１２重量％である、請求項１に記載のインクジェットインク。
５．前記尿素末端封止ポリウレタンが、全インク組成物の重量を基準として約０．２〜約１０重量％である、請求項１に記載のインクジェットインク。
６．前記尿素末端封止ポリウレタンが、全インク組成物の重量を基準として約０．２５〜約８重量％である、請求項１に記載のインクジェットインク。
７．前記尿素末端封止ポリウレタンが、前記ポリウレタンの少なくとも２．５重量％、かつ、１０．５重量％以下である前記尿素末端封止ポリウレタンインク添加剤の尿素含有量を有する、請求項１に記載のインクジェットインク。
８．インクの総重量に基づいて約０．１〜約１０重量％の顔料、２５℃で約２０ｄｙｎｅ／ｃｍ〜約７０ｄｙｎｅ／ｃｍの範囲の表面張力、および、２５℃で約３０ｃＰ未満の粘度を有する、請求項１に記載のインクジェットインク。
９．前記水性ビヒクルが、水および少なくとも１種の水和性の溶剤の混合物である、請求項１に記載のインクジェットインク。
１０．前記自己分散顔料がアニオン性分散基を含む、請求項１に記載のインクジェットインク。
１１．前記自己分散顔料が、顔料表面１平方メートル当たり約３．５μモル（３．５μｍｏｌ／ｍ２）未満の官能化度を含む、請求項１０に記載のインクジェットインク。
１２．前記自己分散顔料が、顔料表面１平方メートル当たり約３．０μモル（３．０μｍｏｌ／ｍ２）未満の官能化度を含む、請求項１１に記載のインクジェットインク。
１３．セット中のインクの少なくとも１つが請求項１に記載のインクである、インクジェットインクセット。
１４．インクを基材上に噴射する工程を含むインクジェット印刷方法であって、前記インクが、請求項１に記載の水性インクまたは請求項１３に記載のインクセットである方法。
１５．前記尿素末端封止ポリウレタンが、少なくとも約１０、かつ、約９０以下の酸価（ｍｇ  ＫＯＨ／１グラム固体ポリマー）を有する、請求項１に記載のインクジェットインク。